(57)【要約】【課題】本発明は、手術担当医師は手術の際、電話又はＦＡＸ等を使用し、口頭で手術器材取扱業者へ当該手術に必要な手術器材の手配及び管理をしていた手術器材の管理を解決することを目的とする。【解決手段】本発明は、インターネットを介し、手術器材等をホームページ上に登録し表示できる登録用カレンダープログラムと、前記登録用カレンダープログラムから手術器材等の確認ができる手術カレンダープログラムとからなる制御部と、前記登録用手術カレンダープログラムで手術器材の登録を行う登録部と、前記手術カレンダープログラムで閲覧できる閲覧部とからなることを特徴とする手術カレンダーの構成とした。【選択図】図１
2004038551.tif 000002
【特許請求の範囲】
【請求項１】
インターネットを介し、手術器材等をホームページ上に登録し表示できる登録用カレンダープログラムと、前記登録用カレンダープログラムから手術器材等の確認ができる手術カレンダープログラムとからなる制御部と、前記登録用手術カレンダープログラムで手術器材の登録を行う登録部と、前記手術カレンダープログラムで閲覧できる閲覧部とからなることを特徴とする手術カレンダー。
【発明の詳細な説明】
【０００１】
【発明が属する技術分野】
本発明は、手術担当医師の口頭等の依頼に基づいて手術器材手配業者が手術器材の手配を行い、手術器材手配業者は手配した手術器材をインターネット上のホームページに掲載し、手術担当医師はホームページから依頼した手術器材を確認できる手術器材の手配管理システム（以下「手術カレンダー」という）に関する発明である。
【０００２】
【従来の技術】
従来、手術担当医師は手術の際、打ち合わせは電話又はＦＡＸ等を使用し口頭で手術器材取扱業者へ当該手術に必要な手術器材の手配及び管理をしていた。
【０００３】
【発明が解決しようとする課題】
しかしながら、従来の手術器材の手配方法は、電話で手術担当医師から手術器材手配業者に連絡し、口頭による確認のみであったため、口頭による聞き間違いなどの問題もあった。
【０００４】
また、手術担当医師及び手術器材手配業者は、手配した手術器材を即時確認できない場合もある。緊急手術の場合である。前記緊急手術の場合、手術器材の手配違いを防ぐために手術担当医師と手術器材手配業者間で手術用器材の内容を電話で確認していた。結果、手術担当医師と手術器材手配業者との間で手術器材の確認に時間と手間がかかるため問題であった。
【０００５】
また手術担当医師は手術当日まで時間がないため、最終確認が終了したことを手術器材手配業者に知らせることができなかった。従って手術器材が無事届いたかどうか、手術担当医師が手術当日に手術器材を直接確認しなければ安心できないという問題もあった。
【０００６】
そこで、本発明は、インターネット上に掲載したホームページで手術用器材の手配を行い、手配した手術器材の確認にかかる時間を短縮することを目的とし、手術担当医師からの連絡の遅れをなくし、手術用器材業者の納品にかかる日時の取り違えるの問題をなくし、医師も事前に手配すべき手術器材の未確認をなくすことができる手術用カレンダーを提供できることを目的とする。
【０００７】
【課題を解決するための手段】
本発明である手術カレンダーは、上記の課題を解決するために、インターネットを介し、手術器材等をホームページ上に登録し表示できる登録用カレンダープログラムと、前記登録用カレンダープログラムから手術器材等の確認ができる手術カレンダープログラムとからなる制御部と、前記登録用手術カレンダープログラムで手術器材の登録を行う登録部と、前記手術カレンダープログラムで閲覧できる閲覧部とからなることを特徴とする手術カレンダーの構成とした。
【０００８】
【実施例】
以下に、添付図面に基づき本発明である手術カレンダー１（手術器材の手配管理システム）について詳細に説明する。図１は、手術カレンダー全体の流れ図である。本発明である手術カレンダー（手術器材の手配管理システム）１は、手術器材を予め登録するために手術器材手配業者が行う登録部３と、手術器材の登録の後に手術担当医師が閲覧できる閲覧部４とからなる。
【０００９】
図２から図４は、手術カレンダー１を構成する構成要件を示した図であり、図５から図１０は手術器材手配業者で表示する画面であり登録部３である。図１１から図１４は、手術担当医師が確認できる画面であり閲覧部４である。
【００１０】
図１に示した手術用カレンダー１の流れ図は、登録部３に登録用手術カレンダープログラム２ａを有している。登録用手術カレンダープログラム２ａは、「手術用器材の手配」Ｓ２から、「登録用手術カレンダーの第４表示」Ｓ１０までの各工程を行うためのプログラムである。
【００１１】
一方、閲覧部４には、手術カレンダープログラム２ｂを設けている。手術カレンダープログラム２ｂは、「手術カレンダーのホームページ表示」Ｓ１１から「手術カレンダー第２表示」Ｓ１４を実行するためのプログラムである。
【００１２】
また、前記登録用手術カレンダープログラム２ａと、手術カレンダープログラム２ｂから制御部２を構成する。次に、図２に示した手術カレンダー１で使用する各装置を説明する。
【００１３】
図２は、本発明である手術カレンダー１のシステム構成を示した図である。図２の左上に示したように、手術器材の手配及び打ち合わせＳ１とは、病院等で手術担当医師と手術器材の打ち合わせを行い、打ち合わせが終了した時点で、手術器材手配業者が手術器材を手配し、手術器材の手配の後にデータ登録３ｂをクライアントＰＣ３ａで行う仕組みである。
【００１４】
前記手術器材のデータ登録３ｂは、クライアントＰＣ３ａ及び、インターネット網５を介してＷＥＢサーバー２ｃとＤＢサーバー２ｄに送り蓄積される仕組みである。一方、手術担当医師はＷＥＢサーバー２ｃに送られたデータ、即ち手配を完了した手術器材等を示した手術カレンダー１をカレンダー閲覧７することができる。
【００１５】
図３に示したカレンダー閲覧７とは、前記登録部３と前記閲覧部４を構成する登録用手術カレンダー９のホームページ画面を表示することである。前記カレンダー閲覧７の後は、手術担当医師、手術器材手配業者共にログイン画面８に切り替えることができる。
【００１６】
前記ログイン画面８とは、パスワード等を入力する画面である。ログイン画面８は、前記登録部３を構成する登録用手術カレンダー９のログイン画面と、前記閲覧部４を構成する手術カレンダー１１の手術カレンダーのログイン画面とからなる。
【００１７】
ログイン画面８に入った後、手術器材手配業者は、前記登録用手術カレンダー９を表示し、手術器材を「登録」する登録作業１０を行うことができる。一方、手術担当医師は、手術カレンダー１１を表示し、手術器材を「閲覧」できる在庫情報・手術詳細１２画面となる。次に、図４で手術担当医師側で確認できる手術カレンダー１１を説明する。
【００１８】
図４の左上に●で示した手術担当医師は、前記在庫情報・手術詳細１２画面から手術器材の詳細を確認することができる。在庫情報・手術詳細等の確認１３をし、手配した器材に間違いがない場合、手術器材の手配完了１５となる。
【００１９】
一方、在庫情報・手術詳細等の未確認１４の場合は、手術器材を手配することができないため、再度手術器材手配業者手術器材の手配及び打ち合わせ１６となる。以上前記図２から図４に示したのが本発明である手術カレンダー１の構成要件である。
【００２０】
次に、本発明である手術カレンダー１を、図１に示した各工程を添付図面に基づき説明する。図１の左部に示した登録部３を構成するのは「手術器材の手配及び打ち合わせ」Ｓ１から「登録用手術カレンダーの第４表示」Ｓ１０の工程である。
【００２１】
図１の右部に示した閲覧部４を構成するのは「手術カレンダーのホームページ表示」Ｓ１１から「手術器材の手配完了」Ｓ１６の工程とからなる。次に、各工程を図面に沿って説明する。
【００２２】
「手術器材の手配及び打ち合わせ」Ｓ１
図１の最上部に示した「手術器材の手配及び打ち合わせ」Ｓ１とは、手術器材手配業者が手術担当医師の依頼に併せて、手術器材手配業者が＜手術器材を手配＞することである。手配の方法は、電話、携帯電話、ＦＡＸ等で手配する。
【００２３】
前記「打ち合わせ」とは病院内部で手術担当医師と手術器材手配業者で行う打ち合わせ等である。前記＜手術用の器材＞とは、手術を行う器材と患者の体内に埋没する人工関節等の器材とからなる。（以下、インプラントという。）手術器材の手配及び打ち合わせＳ１が完了した後、登録部３の「手術器材の手配」Ｓ２を行う。
【００２４】
「手術器材の手配」Ｓ２
前記「手術器材の手配」Ｓ２とは、手術器材手配業者が手術器材の在庫を持つメーカー対し、電話・ＦＡＸ等で手術器材の手配を依頼することである。前記手術器材の手配が終了した後に登録部３のクライアントＰＣ３ａ等で入力等を行う項目である「カレンダー閲覧」Ｓ３となる。
【００２５】
「カレンダー閲覧」Ｓ３・「登録用手術カレンダーのホームページ表示」Ｓ４前記「カレンダー閲覧」Ｓ３は、図５に示した登録用手術カレンダーのホームページを表示Ｓ４することである。前記「登録用カレンダー（ホームページ）表示」Ｓ４は、表示部７ａ、前記表示部７ａの下に設けたリンク部７ｂ、注意文７ｃとからなる。手配した手術器材を手術器材手配業者が手術器材を登録する際は手術カレンダー７ｄボタンを押し、登録用手術カレンダーのログイン画面Ｓ５に進むことができる。
【００２６】
「登録用手術カレンダーのログイン画面」Ｓ５
「登録用手術カレンダーの第１表示」Ｓ６
図６は、登録用手術カレンダーのログイン画面Ｓ５である。登録用手術カレンダーのログイン画面Ｓ５は、病院や手術担当医師の名称を示したユーザー名８ａ、手術カレンダーにアクセスするためのパスワード名８ｂ等、その他チェック欄８ｃとログインボタン８ｄからなる。前記ログインボタン８ｄを押して登録用手術カレンダーの第１表示Ｓ６画面を示した登録用手術カレンダー９となる。
【００２７】
図７に示した登録用手術カレンダー９は、上部で年月等を示した表示部９ａと中部で月日等を示したカレンダー部９ｂとボタン部９ｃからなる。前記表示部９ａは、更新日９ｆと年月９ｇとからなる。年月９ｇは、手術のスケジュールに併せて当月９ｉを示す。ボタン部９ｃは、ログアウトボタン９ｎと登録ボタン在庫情報・手術詳細の確認Ｓ１８からなる。
【００２８】
また、必要に応じて前月９ｈ、次月９ｊへカレンダーの表示を変更することができる。前記カレンダー部９ｂは、日付９ｋが示した枠内部に病院名：手術名等９ｌと学会名９ｍを登録することができる。前記病院名：手術名等９ｌは、病院毎の名称等病院の都合に併せて文字等を追加することができる。
【００２９】
前記登録は、手術器材手配業者が行う。なお、前記病院名：手術名等９ｌに示した患者名をアルファベットに表しコンピューターのキーボードで入力することで、情報漏洩等のセキュリティーを保つことができる。
【００３０】
図７に示した登録用手術カレンダー９の下部には、表示説明９ｄを設けている。「表示説明９ｄに示した●確定９ｐは、手術器材手配業者が手術器材に間違いがないことを手術担当医師に口頭等で確認し、手術器材の確定９ｐした時点で自動的に●を表示する項目である。
【００３１】
なお、手術器材手配業者が、前記確定９ｐを押した場合図の中部に示した病院名：手術名等９ｌの前に示した●の色を変更することができる。例えば、確定前を「青」とした場合、確定の後の●の色を「赤」に変更し、●を色分けすることで、手術担当医師は容易に手術器材の準備ができているかどうかを一目で確認ができるようした。
【００３２】
前記表示説明９ｄは、●確定９ｐできない場合がある。本発明では●サイズパターン、●納品日未定、●その他の理由等を表示することで●確定できない場合でも●を付すことができる。前記●サイズパターンが不明とは、器材の大きさや患者の体のサイズが分からない場合に使用するボタンである。
【００３３】
「登録用手術カレンダーの第２表示」Ｓ８
図８は登録作業Ｓ７を行うための登録用手術カレンダーの第２表示Ｓ８画面である。登録用手術カレンダーの第２表示は手術器材手配業者が病院毎に応じた手術担当医師のＩＤ等を英字、数字等で事前に登録することができる。
【００３４】
登録用手術カレンダーの第２表示画面１０は、Ｗｈａｔ’ｓＮｅｗｓ登録１０ａと更新日１０ｂと登録表１０ｃとからなる。前記Ｗｈａｔ’ｓＮｅｗｓ登録１０ａはボタンである。前記登録表１０ｃは、病院名１０ｄ、ＩＤ１０ｅ、パスワード１０ｆ、利用を制限する利用可否１０ｇ、データ登録１０ｈボタンと追加ボタン１０ｉとからなる。
【００３５】
前記追加ボタン１０ｉとは、前記登録表１０ｃに追加する場合に使用するボタンであり、前記病院名１０ｄ、ＩＤ１０ｅ、パスワード１０ｆ、利用可否１０ｇの表示内容を記入が完了した後に押すことができる。次に前記データ登録１０ｈを押した後に手術器材や学会名等の予定を示した登録用手術カレンダーの第３表示Ｓ９に移動する。
【００３６】
「登録用手術カレンダーの第３表示」Ｓ９
図９に示したのは「登録用手術カレンダーの第３表示」Ｓ９画面である。図９に示した登録手術用カレンダー１７は、入力部１７ａと、表示部１７ｂ、カレンダー部１７ｃとからなる。前記入力部１７ａは病院名１７ｄ、ＩＤ１７ｅ、パスワード１７ｆ、利用可否１７ｇとからなる。なお、ユーザー登録１７ｈは図８に戻るためのボタンである。
【００３７】
前記表示部１７ｂは更新日１７ｊと年月１７ｋとからなる。年月は手術のスケジュールに併せて当月１７ｍの予定を示し、必要に応じ前月１７ｌ、次月１７ｎに戻ることができる。
【００３８】
前記カレンダー部１７ｃは本発明の特徴であり、日付１７ｏの下部に下線が設けられたことを特徴とする。日付１７ｏの下部には手術名等１７ｐ、学会名１７ｑをキーボード等で文字として打ち込むことができる仕組みである。
【００３９】
「登録用手術カレンダー閲覧（ホームページ）の第４表示」Ｓ１０
図１０に示したのは登録用手術カレンダー閲覧（ホームページ）の第４表示Ｓ１０である。図１０に示した登録用在庫情報・手術詳細１８は、器材リスト部１８ａとボタン部１８ｂとからなる。
【００４０】
図１０に示したように前記器材リスト部１８ａは、手術予定日等１８ｃ、手術担当医師・患者名等１８ｄ、インプラント等を示した追加等１８ｅ、器械等の編集ボタン１８ｆ、追加ボタン１８ｇからなる。また器材が一度入力している場合は前記追加ボタン１８ｇが「削除」「変更」ボタンへ表示が変わり、在庫情報・手術詳細Ｓ１０全体の変更や削除を行うこともできる。
【００４１】
以上の構成から手術器材手配業者は、手術担当医師によって依頼された手術器材をホームページ上に予め登録し「登録部３」を構成する。次に図１１から図１４の図面に基づいて、手術担当医師が確認を行う「閲覧部４」の構成について詳細を説明する。
【００４２】
「手術カレンダーのホームページ表示」Ｓ１１
図１１示したのは「手術カレンダーのホームページ表示」Ｓ１１である。図１１の中央に示した手術カレンダーのホームページ表示Ｓ１１画面は、手術器材手配業者の案内等を文言で記載した表示部７ａと、前記表示部７ａの下で設けたリンク部７ｂと注意文７ｃとからなる。本発明である手術器材の手配を登録する際には、手術カレンダー７ｄボタンを押すことで次画面に進む。
【００４３】
「手術カレンダーのログイン画面」Ｓ１２
図１２は、「手術カレンダーのログイン画面」Ｓ１２である。前記登録部３の図６に示した登録用手術カレンダーのログイン画面Ｓ５と表示形式は同一である。ただし、入力を行う客体は手術担当医師となり異なる。前記手術カレンダーのログイン画面Ｓ１２は、前記手術担当医師が名称を入力するユーザー名８ａ、パスワード名８ｂ等、その他チェック欄８ｃとログインボタン８ｄからなる。
【００４４】
「手術カレンダーの第１表示」Ｓ１３
図１３は「手術カレンダーの第１表示」Ｓ１３である。手術カレンダー１１は、年月等を示した表示部１１ａと、月日等を示したカレンダー部１１ｂとボタン部１１ｃと表示説明１１ｄとからなる。前記手術カレンダーの第１表示Ｓ１３は手術担当医師が書込を全くできないことに特徴を有する。
【００４５】
表示部１１ａは、手術担当医師１１ｅ、更新日１１ｆ、年月１１ｇ、前月１１ｈ、当月１１ｉ、次月１１ｊと、当日を示した日付１１ｋからなる。前記日付１１ｋの内部は、病院名等１１ｌと、学会名１１ｍを表示することができる。前記表示説明１１ｄは、手術器材手配業者が器材の手配が完了したことを示す●確定１１ｏ等の表示である。
【００４６】
「手術カレンダーの第２表示」Ｓ１４
図１４に示したのは、「手術カレンダーの第２表示」Ｓ１４である。在庫情報・手術詳細１２は、器材リスト部１２ａとボタン部１２ｂとからなる。前記器材リスト部１２ａは、手術名を示した手術名１２ｆ、手術名１２ｇ、メーカー名等１２ｈ、手術担当医師・患者名１２ｉ、器械名等１２ｊ、納品予定日１２ｋからなる。
【００４７】
「在庫情報・手術詳細の確認」Ｓ１５
また「在庫情報・手術詳細の確認」Ｓ１５は、前記手術カレンダーの第２表示Ｓ１４で示した手術器材の名称、数量等に誤りがないかどうか確認することである。手術担当医師は手術器材に変更がない場合、在庫情報・手術詳細の確認Ｓ１５から手術器材の手配完了Ｓ１６に移る。手術器材の変更がある場合には、再度手術器材の手配及び打ち合わせＳ１となる。
【００４８】
以上の結果から本発明である手術カレンダー１は、手術担当医師が自ら依頼した手術用器材を、手術器材手配業者が前記手術用器材に従って手配し、手配した手術用器材を手術カレンダーへ登録し、手術担当医師がログインの後に手術カレンダーから容易に手術器材を確認することができる仕組みである。
【００４９】
【発明の効果】
本発明は、以上に説明したような構成であるから以下の効果が得られる。第１に、医師がホームページ上の手術スケジュールや手術器材の確認をすることで手術器材の手配ミスを防ぐことができる。
【００５０】
第２にインターネット上で手術カレンダーを表示することで、手術担当医師は時間を制約されることなく手術器材の手配状況を確認できるため、手術カレンダーに示した手術器材の手配状況を事前に確認し、●確定の表示等により手術器材手配業者の確認にかかる手間と時間を解消できる。
【００５１】
第３に手術器手配業者は、手術器材を随時手術カレンダーに入力することで、手術器材手配業者の手術器材の手配忘れ等を防ぐとと共に、手術担当医師に対して行う手術器材の確認にかかる時間を大幅に解消することができる。
【図面の簡単な説明】
【図１】本発明である手術カレンダー（手術器材の手配管理システム）を使用する「手術器材の手配及び打ち合わせ」から「手術器材手配の完了」までの手続きの流れを示した流れ図である。
【図２】本発明である手術カレンダーの全体システムの構成を示したシステム構成図である。
【図３】本発明である手術カレンダーのシステム構成図の一部で「カレンダー閲覧」から在庫情報・手術詳細」Ｓ１５までの詳細を示した流れ図である。
【図４】本発明である手術カレンダーのシステム構成図の一部で「手術カレンダーの第１表示」Ｓ１３から「手術器材の手配完了」Ｓ１６までの詳細を示した流れ図である。
【図５】本発明である手術カレンダーを構成する登録用手術カレンダーのホームページを示した画面である。
【図６】本発明である手術カレンダーを構成する「ログイン」を示した画面である。
【図７】本発明である手術カレンダーを構成する「登録用手術カレンダーの第１表示」を示した画面である。
【図８】本発明である手術カレンダーを構成する「登録用手術カレンダーの第２表示」を示した画面である。
【図９】本発明である手術カレンダーを構成する「登録用手術カレンダーの第３表示」を示した画面である。
【図１０】本発明である手術カレンダーを構成する「登録用手術カレンダーの第４表示」を示した画面である。
【図１１】本発明である「手術カレンダーのホームページ表示を示した画面図である。
【図１２】本発明である手術カレンダーを構成する「ログイン」を示した画面である。
【図１３】本発明である手術カレンダーを構成する「手術カレンダーの第１表示」を示した画面である。
【図１４】本発明である手術カレンダーの「手術カレンダーの第２表示」を示した画面である。
【符号の説明】
１　　　手術カレンダー（手術器材の手配管理システム）
Ｓ１　　手術器材の手配及び打ち合わせ
Ｓ２　　手術器材の手配
Ｓ３　　カレンダー閲覧
Ｓ４　　登録用手術カレンダーのホームページ表示
Ｓ５　　登録用手術カレンダーのログイン画面
Ｓ６　　登録用手術カレンダーの第１表示
Ｓ７　　登録作業
Ｓ８　　登録用手術カレンダーの第２表示
Ｓ９　　登録用手術カレンダーの第３表示
Ｓ１０　登録用手術カレンダーの第４表示
Ｓ１１　手術カレンダーのホームページ表示
Ｓ１２　手術カレンダーのログイン画面
Ｓ１３　手術カレンダーの第１表示
Ｓ１４　手術カレンダーの第２表示
Ｓ１５　在庫情報・手術詳細の確認
Ｓ１６　手術器材の手配完了
２　　　制御部
２ａ　　登録用手術カレンダープログラム
２ｂ　　手術カレンダープログラム
２ｃ　　ＷＥＢサーバー
２ｄ　　ＤＢサーバー
３　　　登録部
３ａ　　クライアントＰＣ
３ｂ　　データ登録
４　　　閲覧部
５　　　インターネット網
６　　　クライアントＰＣ
７　　　カレンダー閲覧
７ａ　　表示部
７ｂ　　リンク部
７ｃ　　注意文
７ｄ　　手術カレンダー
８　　　手術カレンダーのログイン画面
８ａ　　ユーザー名
８ｂ　　パスワード名
８ｃ　　チェック欄
８ｄ　　ログインボタン
９　　　登録用手術カレンダー
９ａ　　表示部
９ｂ　　カレンダー部
９ｃ　　ボタン部
９ｄ　　表示説明
９ｅ　　手術担当医師
９ｆ　　更新日
９ｇ　　年月
９ｈ　　前月
９ｉ　　当月
９ｊ　　次月
９ｋ　　日付
９ｌ　　病院名：手術名等
９ｍ　　学会名
９ｎ　　ログアウト
９ｏ　　登録ボタン
９ｐ　　確定
１０　　登録用手術カレンダーの第２表示画面
１０ａ　Ｗｈａｔ’ｓ　Ｎｅｗｓ登録
１０ｂ　更新日
１０ｃ　登録表
１０ｄ　病院名
１０ｅ　ＩＤ
１０ｆ　パスワード
１０ｇ　利用可否
１０ｈ　データ登録
１０ｉ　追加ボタン
１１　　登録用手術カレンダー
１１ａ　表示部
１１ｂ　カレンダー部
１１ｃ　ボタン部
１１ｄ　表示説明
１１ｅ　手術担当医師
１１ｆ　更新日
１１ｇ　年月
１１ｈ　前月
１１ｉ　当月
１１ｊ　次月
１１ｋ　日付
１１ｌ　病院名：手術名等
１１ｍ　学会名
１１ｎ　ログアウト
１１ｏ　確定等
１２　　在庫情報・手術詳細
１２ａ　器材リスト部
１２ｂ　ボタン部
１２ｃ　表示部
１２ｄ　登録
１２ｅ　更新日
１２ｆ　　手術名
１２ｇ　手術名
１２ｈ　メーカー名等
１２ｉ　手術担当医師・患者名
１２ｊ　器械名等
１２ｋ　納品予定日
１３　　在庫情報・手術詳細の確認
１４　　在庫情報・手術詳細等の未確認
１５　　手術器材の手配完了
１６　　手術器材の手配及び打ち合わせ
１７　　登録用手術カレンダー
１７ａ　入力部
１７ｂ　表示部
１７ｃ　カレンダー部
１７ｄ　病院名
１７ｅ　ＩＤ
１７ｆ　パスワード
１７ｇ　利用可否
１７ｈ　ユーザー登録
１７ｉ　カレンダーログイン部
１７ｊ　更新日
１７ｋ　年月
１７ｌ　前月
１７ｍ　当月
１７ｎ　次月
１７ｏ　日付
１７ｐ　手術名等
１７ｑ　学会名
１８　　在庫情報・手術詳細
１８ａ　器材リスト部
１８ｂ　ボタン部
１８ｃ　手術予定日等
１８ｄ　手術担当医師・患者名等
１８ｅ　追加等
１８ｆ　編集ボタン
１８ｇ　追加ボタン
【図１】
2004038551.tif 000003
【図２】
2004038551.tif 000004
【図３】
2004038551.tif 000005
【図４】
2004038551.tif 000006
【図５】
2004038551.tif 000007
【図６】
2004038551.tif 000008
【図７】
2004038551.tif 000009
【図８】
2004038551.tif 000010
【図９】
2004038551.tif 000011
【図１０】
2004038551.tif 000012
【図１１】
2004038551.tif 000013
【図１２】
2004038551.tif 000014
【図１３】
2004038551.tif 000015
【図１４】
2004038551.tif 000016